【手続補正書】
【提出日】平成21年4月22日(2009.4.22)
【手続補正１】
【補正対象書類名】明細書
【補正対象項目名】００９１
【補正方法】変更
【補正の内容】
【００９１】
式（１）で表される光重合開始剤としては、例えば、以下のようなものが挙げられる。エタノン １−［９−エチル−６−（２−メチルベンゾイル）−９Ｈ−カルバゾール−３−イル］− １−（Ｏ−アセチルオキシム）、エタノン １−［９−エチル−６−（４−メチルベンゾイル）−９Ｈ−カルバゾール−３−イル］− １−（Ｏ−アセチルオキシム）、エタノン １−［９−エチル−６−（６−メチルベンゾイル）−９Ｈ−カルバゾール−３−イル］− １−（Ｏ−アセチルオキシム）、エタノン １−［９−エチル−６−（２，４−ジメチルベンゾイル）−９Ｈ−ルバゾイル−３−イル］− １−（Ｏ−アセチルオキシム）、エタノン １−［９−エチル−６−（２，６−ジメチルベンゾイル）−９Ｈ−カルバゾール−３−イル］− １−（Ｏ−アセチルオキシム）、エタノン １−［９−エチル−６−（２，４，６−トリメチルベンゾイル）−９Ｈ−カルバゾール−３−イル］− １−（Ｏ−アセチルオキシム）、エタノン １−［９−エチル−６−（２−エチルベンゾイル）−９Ｈ−カルバゾール−３−イル］− １−（Ｏ−アセチルオキシム）、エタノン １−［９−エチル−６−（４−エチルベンゾイル）−９Ｈ−カルバゾール−３−イル］− １−（Ｏ−アセチルオキシム）、エタノン １−［９−エチル−６−（６−エチルベンゾイル）−９Ｈ−カルバゾール−３−イル］−１−（Ｏ−アセチルオキシム）、エタノン １−［９−エチル−６−（２，４−ジエチルベンゾイル）−９Ｈ−カルバゾール−３−イル］− １−（Ｏ−アセチルオキシム）、エタノン １−［９−エチル−６−（２，６−ジエチルベンゾイル）−９Ｈ−カルバゾール−３−イル］− １−（Ｏ−アセチルオキシム）、エタノン １−［９−エチル−６−（２，４，６−トリエチルベンゾイル）−９Ｈ−カルバゾール−３−イル］−１−（Ｏ−アセチルオキシム）、
【手続補正２】
【補正対象書類名】明細書
【補正対象項目名】００９２
【補正方法】変更
【補正の内容】
【００９２】
エタノン １−［９−メチル−６−（２−メチルベンゾイル）−９Ｈ−カルバゾール−３−イル］−１−（Ｏ−アセチルオキシム）、エタノン １−［９−メチル−６−（４−メチルベンゾイル）−９Ｈ−カルバゾール−３−イル］−１−（Ｏ−アセチルオキシム）、エタノン １−［９−メチル−６−（６−メチルベンゾイル）−９Ｈ−カルバゾール−３−イル］−１−（Ｏ−アセチルオキシム）、エタノン １−［９−メチル−６−（２，４−ジメチルベンゾイル）−９Ｈ−カルバゾール−３−イル］−１−（Ｏ−アセチルオキシム）、エタノン １−［９−メチル−６−（２，６−ジメチルベンゾイル）−９Ｈ−カルバゾール−３−イル］−１−（Ｏ−アセチルオキシム）、エタノン １−［９−メチル−６−（２，４，６−トリメチルベンゾイル）−９Ｈ−カルバゾール−３−イル］−１−（Ｏ−アセチルオキシム）、エタノン １−［９−メチル−６−（２−エチルベンゾイル）−９Ｈ−カルバゾール−３−イル］−１−（Ｏ−アセチルオキシム）、エタノン １−［９−メチル−６−（４−エチルベンゾイル）−９Ｈ−カルバゾール−３−イル］−１−（Ｏ−アセチルオキシム）、エタノン １−［９−メチル−６−（６−エチルベンゾイル）−９Ｈ−カルバゾール−３−イル］−１−（Ｏ−アセチルオキシム）、エタノン １−［９−メチル−６−（２，４−ジエチルベンゾイル）−９Ｈ−カルバゾール−３−イル］−１−（Ｏ−アセチルオキシム）、エタノン １−［９−メチル−６−（２，６−ジエチルベンゾイル）−９Ｈ−カルバゾール−３−イル］−１−（Ｏ−アセチルオキシム）、エタノン １−［９−メチル−６−（２，４，６−トリエチルベンゾイル）−９Ｈ−カルバゾール−３−イル］−１−（Ｏ−アセチルオキシム）、
【手続補正３】
【補正対象書類名】明細書
【補正対象項目名】００９３
【補正方法】変更
【補正の内容】
【００９３】
エタノン１−［９−プロピル−６−（２−メチルベンゾイル）−９Ｈ−カルバゾール−３−イル］−１−（Ｏ−アセチルオキシム）、エタノン １−［９−プロピル−６−（４−メチルベンゾイル）−９Ｈ−カルバゾール−３−イル］−１−（Ｏ−アセチルオキシム）、エタノン１−［９−プロピル−６−（６−メチルベンゾイル）−９Ｈ−カルバゾール−３−イル］−１−（Ｏ−アセチルオキシム）、エタノン １−［９−プロピル−６−（２，４−ジメチルベンゾイル）−９Ｈ−カルバゾール−３−イル］−１−（Ｏ−アセチルオキシム）、エタノン １−［９−プロピル−６−（２，６−ジメチルベンゾイル）−９Ｈ−カルバゾール−３−イル］−１−（Ｏ−アセチルオキシム）、エタノン １−［９−プロピル−６−（２，４，６−トリメチルベンゾイル）−９Ｈ−カルバゾール−３−イル］−１−（Ｏ−アセチルオキシム）、エタノン １−［９−プロピル−６−（２−エチルベンゾイル）−９Ｈ−カルバゾール−３−イル］−１−（Ｏ−アセチルオキシム）、エタノン １−［９−プロピル−６−（４−エチルベンゾイル）−９Ｈ−カルバゾール−３−イル］−１−（Ｏ−アセチルオキシム）、エタノン １−［９−プロピル−６−（６−エチルベンゾイル）−９Ｈ−カルバゾール−３−イル］−１−（Ｏ−アセチルオキシム）、エタノン １−［９−プロピル−６−（２，４−ジエチルベンゾイル）−９Ｈ−カルバゾール−３−イル］−１−（Ｏ−アセチルオキシム）、エタノン １−［９−プロピル−６−（２，６−ジエチルベンゾイル）−９Ｈ−カルバゾール−３−イル］−１−（Ｏ−アセチルオキシム）、エタノン １−［９−プロピル−６−（２，４，６−トリエチルベンゾイル）−９Ｈ−カルバゾール−３−イル］−１−（Ｏ−アセチルオキシム）、
【手続補正４】
【補正対象書類名】明細書
【補正対象項目名】００９４
【補正方法】変更
【補正の内容】
【００９４】
エタノン １−［９−エチル−６−（２−メチルベンゾイル）−９Ｈ−カルバゾール−３−イル］−１−［Ｏ−（１−プロパノン）オキシム］、エタノン １−［９−エチル−６−（４−メチルベンゾイル）−９Ｈ−カルバゾール−３−イル］−１−［Ｏ−（１−プロパノン）オキシム］、エタノン １−［９−エチル−６−（６−メチルベンゾイル）−９Ｈ−カルバゾール−３−イル］−１−［Ｏ−（１−プロパノン）オキシム］、エタノン １−［９−エチル−６−（２，４−ジメチルベンゾイル）−９Ｈ−カルバゾール−３−イル］−１−［Ｏ−（１−プロパノン）オキシム］、エタノン １−［９−エチル−６−（２，６−ジメチルベンゾイル）−９Ｈ−カルバゾール−３−イル］−１−［Ｏ−（１−プロパノン）オキシム］、エタノン １−［９−エチル−６−（２，４，６−トリメチルベンゾイル）−９Ｈ−カルバゾール−３−イル］−１−［Ｏ−（１−プロパノン）オキシム］、エタノン １−［９−エチル−６−（２−エチルベンゾイル）−９Ｈ−カルバゾール−３−イル］−１−［Ｏ−（１−プロパノン）オキシム］、エタノン １−［９−エチル−６−（４−エチルベンゾイル）−９Ｈ−カルバゾール−３−イル］−１−［Ｏ−（１−プロパノン）オキシム］、エタノン １−［９−エチル−６−（６−エチルベンゾイル）−９Ｈ−カルバゾール−３−イル］−１−［Ｏ−（１−プロパノン）オキシム］、エタノン １−［９−エチル−６−（２，４−ジエチルベンゾイル）−９Ｈ−カルバゾール−３−イル］−１−［Ｏ−（１−プロパノン）オキシム］、エタノン １−［９−エチル−６−（２，６−ジエチルベンゾイル）−９Ｈ−カルバゾール−３−イル］−１−［Ｏ−（１−プロパノン）オキシム］、エタノン １−［９−エチル−６−（２，４，６−トリエチルベンゾイル）−９Ｈ−カルバゾール−３−イル］−１−［Ｏ−（１−プロパノン）オキシム］、エタノン １−［９−メチル−６−（２−メチルベンゾイル）−９Ｈ−カルバゾール−３−イル］−１−［Ｏ−（１−プロパノン）オキシム］、エタノン １−［９−メチル−６−（４−メチルベンゾイル）−９Ｈ−カルバゾール−３−イル］−１−［Ｏ−（１−プロパノン）オキシム］、エタノン １−［９−メチル−６−（６−メチルベンゾイル）−９Ｈ−カルバゾール−３−イル］−１−［Ｏ−（１−プロパノン）オキシム］、エタノン １−［９−メチル−６−（２，４−ジメチルベンゾイル）−９Ｈ−カルバゾール−３−イル］−１−［Ｏ−（１−プロパノン）オキシム］、エタノン １−［９−メチル−６−（２，６−ジメチルベンゾイル）−９Ｈ−カルバゾール−３−イル］−１−［Ｏ−（１−プロパノン）オキシム］、エタノン １−［９−メチル−６−（２，４，６−トリメチルベンゾイル）−９Ｈ−カルバゾール−３−イル］−１−［Ｏ−（１−プロパノン）オキシム］、
【手続補正５】
【補正対象書類名】明細書
【補正対象項目名】００９５
【補正方法】変更
【補正の内容】
【００９５】
エタノン １−［９−メチル−６−（２−エチルベンゾイル）−９Ｈ−カルバゾール−３−イル］−１−［Ｏ−（１−プロパノン）オキシム］、エタノン １−［９−メチル−６−（４−エチルベンゾイル）−９Ｈ−カルバゾール−３−イル］−１−［Ｏ−（１−プロパノン）オキシム］、エタノン １−［９−メチル−６−（６−エチルベンゾイル）−９Ｈ−カルバゾール−３−イル］−１−［Ｏ−（１−プロパノン）オキシム］、エタノン １−［９−メチル−６−（２，４−ジエチルベンゾイル）−９Ｈ−カルバゾール−３−イル］−１−［Ｏ−（１−プロパノン）オキシム］、エタノン １−［９−メチル−６−（２，６−ジエチルベンゾイル）−９Ｈ−カルバゾール−３−イル］− １−［Ｏ−（１−プロパノン）オキシム］、エタノン １−［９−メチル−６−（２，４，６−トリエチルベンゾイル）−９Ｈ−カルバゾール−３−イル］−１−［Ｏ−（１−プロパノン）オキシム］、エタノン １−［９−プロピル−６−（２−メチルベンゾイル）−９Ｈ−カルバゾール−３−イル］−１−［Ｏ−（１−プロパノン）オキシム］、エタノン １−［９−プロピル−６−（４−メチルベンゾイル）−９Ｈ−カルバゾール−３−イル］− １−［Ｏ−（１−プロパノン）オキシム］、エタノン １−［９−プロピル−６−（６−メチルベンゾイル）−９Ｈ−カルバゾール−３−イル］−１−［Ｏ−（１−プロパノン）オキシム］、エタノン １−［９−プロピル−６−（２，４−ジメチルベンゾイル）−９Ｈ−カルバゾール−３−イル］−１−［Ｏ−（１−プロパノン）オキシム］、エタノン １−［９−プロピル−６−（２，６−ジメチルベンゾイル）−９Ｈ−カルバゾール−３−イル］−１−［Ｏ−（１−プロパノン）オキシム］、エタノン １−［９−プロピル−６−（２，４，６−トリメチルベンゾイル）−９Ｈ−カルバゾール−３−イル］−１−［Ｏ−（１−プロパノン）オキシム］、
【手続補正６】
【補正対象書類名】明細書
【補正対象項目名】００９６
【補正方法】変更
【補正の内容】
【００９６】
エタノン １−［９−プロピル−６−（２−エチルベンゾイル）−９Ｈ−カルバゾール−３−イル］−１−［Ｏ−（１−プロパノン）オキシム］、エタノン １−［９−プロピル−６−（４−エチルベンゾイル）−９Ｈ−カルバゾール−３−イル］−１−［Ｏ−（１−プロパノン）オキシム］、エタノン １−［９−プロピル−６−（６−エチルベンゾイル）−９Ｈ−カルバゾール−３−イル］−１−［Ｏ−（１−プロパノン）オキシム］、エタノン １−［９−プロピル−６−（２，４−ジエチルベンゾイル）−９Ｈ−カルバゾール−３−イル］−１−［Ｏ−（１−プロパノン）オキシム］、エタノン １−［９−プロピル−６−（２，６−ジエチルベンゾイル）−９Ｈ−カルバゾール−３−イル］−１−［Ｏ−（１−プロパノン）オキシム］、エタノン １−［９−プロピル−６−（２，４，６−トリエチルベンゾイル）−９Ｈ−カルバゾール−３−イル］−１−［Ｏ−（１−プロパノン）オキシム］、エタノン １−［９−エチル−６−（２−メチルベンゾイル）−９Ｈ−カルバゾール−３−イル］−１−［Ｏ−（１−ブタノン）オキシム］、エタノン １−［９−エチル−６−（４−メチルベンゾイル）−９Ｈ−カルバゾール−３−イル］−１−［Ｏ−（１−ブタノン）オキシム］、エタノン １−［９−エチル−６−（６−メチルベンゾイル）−９Ｈ−カルバゾール−３−イル］−１−［Ｏ−（１−ブタノン）オキシム］、エタノン １−［９−エチル−６−（２，４−ジメチルベンゾイル）−９Ｈ−カルバゾール−３−イル］−１−［Ｏ−（１−ブタノン）オキシム］、エタノン １−［９−エチル−６−（２，６−ジメチルベンゾイル）−９Ｈ−カルバゾール−３−イル］−１−［Ｏ−（１−ブタノン）オキシム］、エタノン １−［９−エチル−６−（２，４，６−トリメチルベンゾイル）−９Ｈ−カルバゾール−３−イル］−１−［Ｏ−（１−ブタノン）オキシム］、エタノン １−［９−エチル−６−（２−エチルベンゾイル）−９Ｈ−カルバゾール−３−イル］−１−［Ｏ−（１−ブタノン）オキシム］、エタノン １−［９−エチル−６−（４−エチルベンゾイル）−９Ｈ−カルバゾール−３−イル］−１−［Ｏ−（１−ブタノン）オキシム］、エタノン １−［９−エチル−６−（６−エチルベンゾイル）−９Ｈ−カルバゾール−３−イル］−１−［Ｏ−（１−ブタノン）オキシム］、エタノン １−［９−エチル−６−（２，４−ジエチルベンゾイル）−９Ｈ−カルバゾール−３−イル］−１−［Ｏ−（１−ブタノン）オキシム］、エタノン １−［９−エチル−６−（２，６−ジエチルベンゾイル）−９Ｈ−カルバゾール−３−イル］−１−［Ｏ−（１−ブタノン）オキシム］、エタノン １−［９−エチル−６−（２，４，６−トリエチルベンゾイル）−９Ｈ−カルバゾール−３−イル］−１−［Ｏ−（１−ブタノン）オキシム］、
【手続補正７】
【補正対象書類名】明細書
【補正対象項目名】００９７
【補正方法】変更
【補正の内容】
【００９７】
エタノン １−［９−メチル−６−（２−メチルベンゾイル）−９Ｈ−カルバゾール−３−イル］−１−［Ｏ−（１−ブタノン）オキシム］、エタノン １−［９−メチル−６−（４−メチルベンゾイル）−９Ｈ−カルバゾール−３−イル］−１−［Ｏ−（１−ブタノン）オキシム］、エタノン １−［９−メチル−６−（６−メチルベンゾイル）−９Ｈ−カルバゾール−３−イル］−１−［Ｏ−（１−ブタノン）オキシム］、エタノン １−［９−メチル−６−（２，４−ジメチルベンゾイル）−９Ｈ−カルバゾール−３−イル］−１−［Ｏ−（１−ブタノン）オキシム］、エタノン １−［９−メチル−６−（２，６−ジメチルベンゾイル）−９Ｈ−カルバゾール−３−イル］−１−［Ｏ−（１−ブタノン）オキシム］、エタノン １−［９−メチル−６−（２，４，６−トリメチルベンゾイル）−９Ｈ−カルバゾール−３−イル］−１−［Ｏ−（１−ブタノン）オキシム］、エタノン １−［９−メチル−６−（２−エチルベンゾイル）−９Ｈ−カルバゾール−３−イル］−１−［Ｏ−（１−ブタノン）オキシム］、エタノン １−［９−メチル−６−（４−エチルベンゾイル）−９Ｈ−カルバゾール−３−イル］−１−［Ｏ−（１−ブタノン）オキシム］、エタノン １−［９−メチル−６−（６−エチルベンゾイル）−９Ｈ−カルバゾール−３−イル］−１−［Ｏ−（１−ブタノン）オキシム］、エタノン １−［９−メチル−６−（２，４−ジエチルベンゾイル）−９Ｈ−カルバゾール−３−イル］−１−［Ｏ−（１−ブタノン）オキシム］、エタノン １−［９−メチル−６−（２，６−ジエチルベンゾイル）−９Ｈ−カルバゾール−３−イル］−１−［Ｏ−（１−ブタノン）オキシム］、エタノン １−［９−メチル−６−（２，４，６−トリエチルベンゾイル）−９Ｈ−カルバゾール−３−イル］−１−［Ｏ−（１−ブタノン）オキシム］、エタノン １−［９−プロピル−６−（２−メチルベンゾイル）−９Ｈ−カルバゾール−３−イル］−１−［Ｏ−（１−ブタノン）オキシム］、エタノン １−［９−プロピル−６−（４−メチルベンゾイル）−９Ｈ−カルバゾール−３−イル］−１−［Ｏ−（１−ブタノン）オキシム］、エタノン １−［９−プロピル−６−（６−メチルベンゾイル）−９Ｈ−カルバゾール−３−イル］−１−［Ｏ−（１−ブタノン）オキシム］、エタノン １−［９−プロピル−６−（２，４−ジメチルベンゾイル）−９Ｈ−カルバゾール−３−イル］−１−［Ｏ−（１−ブタノン）オキシム］、エタノン １−［９−プロピル−６−（２，６−ジメチルベンゾイル）−９Ｈ−カルバゾール−３−イル］−１−［Ｏ−（１−ブタノン）オキシム］、エタノン １−［９−プロピル−６−（２，４，６−トリメチルベンゾイル）−９Ｈ−カルバゾール−３−イル］−１−［Ｏ−（１−ブタノン）オキシム］、
【手続補正８】
【補正対象書類名】明細書
【補正対象項目名】００９８
【補正方法】変更
【補正の内容】
【００９８】
エタノン １−［９−プロピル−６−（２−エチルベンゾイル）−９Ｈ−カルバゾール−３−イル］−１−［Ｏ−（１−ブタノン）オキシム］、エタノン １−［９−プロピル−６−（４−エチルベンゾイル）−９Ｈ−カルバゾール−３−イル］−１−［Ｏ−（１−ブタノン）オキシム］、エタノン １−［９−プロピル−６−（６−エチルベンゾイル）−９Ｈ−カルバゾール−３−イル］−１−［Ｏ−（１−ブタノン）オキシム］、エタノン １−［９−プロピル−６−（２，４−ジエチルベンゾイル）−９Ｈ−カルバゾール−３−イル］−１−［Ｏ−（１−ブタノン）オキシム］、エタノン １−［９−プロピル−６−（２，６−ジエチルベンゾイル）−９Ｈ−カルバゾール−３−イル］−１−［Ｏ−（１−ブタノン）オキシム］、エタノン １−［９−プロピル−６−（２，４，６−トリエチルベンゾイル）−９Ｈ−カルバゾール−３−イル］−１−［Ｏ−（１−ブタノン）オキシム］、エタノン １−［９−エチル−６−（２−メチルベンゾイル）−９Ｈ−カルバゾール−３−イル］−１−［Ｏ−（１−ペンタノン）オキシム］、エタノン １−［９−エチル−６−（４−メチルベンゾイル）−９Ｈ−カルバゾール−３−イル］−１−［Ｏ−（１−ペンタノン）オキシム］、エタノン １−［９−エチル−６−（６−メチルベンゾイル）−９Ｈ−カルバゾール−３−イル］−１−［Ｏ−（１−ペンタノン）オキシム］、エタノン １−［９−エチル−６−（２，４−ジメチルベンゾイル）−９Ｈ−カルバゾール−３−イル］−１−［Ｏ−（１−ペンタノン）オキシム］、エタノン １−［９−エチル−６−（２，６−ジメチルベンゾイル）−９Ｈ−カルバゾール−３−イル］−１−［Ｏ−（１−ペンタノン）オキシム］、エタノン １−［９−エチル−６−（２，４，６−トリメチルベンゾイル）−９Ｈ−カルバゾール−３−イル］−１−［Ｏ−（１−ペンタノン）オキシム］、
【手続補正９】
【補正対象書類名】明細書
【補正対象項目名】００９９
【補正方法】変更
【補正の内容】
【００９９】
エタノン １−［９−エチル−６−（２−エチルベンゾイル）−９Ｈ−カルバゾール−３−イル］−１−［Ｏ−（１−ペンタノン）オキシム］、エタノン １−［９−エチル−６−（４−エチルベンゾイル）−９Ｈ−カルバゾール−３−イル］−１−［Ｏ−（１−ペンタノン）オキシム］、エタノン １−［９−エチル−６−（６−エチルベンゾイル）−９Ｈ−カルバゾール−３−イル］−１−［Ｏ−（１−ペンタノン）オキシム］、エタノン １−［９−エチル−６−（２，４−ジエチルベンゾイル）−９Ｈ−カルバゾール−３−イル］−１−［Ｏ−（１−ペンタノン）オキシム］、エタノン １−［９−エチル−６−（２，６−ジエチルベンゾイル）−９Ｈ−カルバゾール−３−イル］−１−［Ｏ−（１−ペンタノン）オキシム］、エタノン １−［９−エチル−６−（２，４，６−トリエチルベンゾイル）−９Ｈ−カルバゾール−３−イル］−１−［Ｏ−（１−ペンタノン）オキシム］、エタノン １−［９−メチル−６−（２−メチルベンゾイル）−９Ｈ−カルバゾール−３−イル］−１−［Ｏ−（１−ペンタノン）オキシム］、エタノン １−［９−メチル−６−（４−メチルベンゾイル）−９Ｈ−カルバゾール−３−イル］−１−［Ｏ−（１−ペンタノン）オキシム］、エタノン １−［９−メチル−６−（６−メチルベンゾイル）−９Ｈ−カルバゾール−３−イル］−１−［Ｏ−（１−ペンタノン）オキシム］、エタノン １−［９−メチル−６−（２，４−ジメチルベンゾイル）−９Ｈ−カルバゾール−３−イル］−１−［Ｏ−（１−ペンタノン）オキシム］、エタノン １−［９−メチル−６−（２，６−ジメチルベンゾイル）−９Ｈ−カルバゾール−３−イル］−１−［Ｏ−（１−ペンタノン）オキシム］、エタノン １−［９−メチル−６−（２，４，６−トリメチルベンゾイル）−９Ｈ−カルバゾール−３−イル］−１−［Ｏ−（１−ペンタノン）オキシム］、
【手続補正１０】
【補正対象書類名】明細書
【補正対象項目名】０１００
【補正方法】変更
【補正の内容】
【０１００】
エタノン １−［９−メチル−６−（２−エチルベンゾイル）−９Ｈ−カルバゾール−３−イル］−１−［Ｏ−（１−ペンタノン）オキシム］、エタノン １−［９−メチル−６−（４−エチルベンゾイル）−９Ｈ−カルバゾール−３−イル］−１−［Ｏ−（１−ペンタノン）オキシム］、エタノン １−［９−メチル−６−（６−エチルベンゾイル）−９Ｈ−カルバゾール−３−イル］−１−［Ｏ−（１−ペンタノン）オキシム］、エタノン １−［９−メチル−６−（２，４−ジエチルベンゾイル）−９Ｈ−カルバゾール−３−イル］−１−［Ｏ−（１−ペンタノン）オキシム］、エタノン １−［９−メチル−６−（２，６−ジエチルベンゾイル）−９Ｈ−カルバゾール−３−イル］−１−［Ｏ−（１−ペンタノン）オキシム］、エタノン １−［９−メチル−６−（２，４，６−トリエチルベンゾイル）−９Ｈ−カルバゾール−３−イル］−１−［Ｏ−（１−ペンタノン）オキシム］、エタノン １−［９−プロピル−６−（２−メチルベンゾイル）−９Ｈ−カルバゾール−３−イル］−１−［Ｏ−（１−ペンタノン）オキシム］、エタノン １−［９−プロピル−６−（４−メチルベンゾイル）−９Ｈ−カルバゾール−３−イル］−１−［Ｏ−（１−ペンタノン）オキシム］、エタノン １−［９−プロピル−６−（６−メチルベンゾイル）−９Ｈ−カルバゾール−３−イル］−１−［Ｏ−（１−ペンタノン）オキシム］、エタノン １−［９−プロピル−６−（２，４−ジメチルベンゾイル）−９Ｈ−カルバゾール−３−イル］−１−［Ｏ−（１−ペンタノン）オキシム］、エタノン １−［９−プロピル−６−（２，６−ジメチルベンゾイル）−９Ｈ−カルバゾール−３−イル］−１−［Ｏ−（１−ペンタノン）オキシム］、エタノン １−［９−プロピル−６−（２，４，６−トリメチルベンゾイル）−９Ｈ−カルバゾール−３−イル］−１−［Ｏ−（１−ペンタノン）オキシム］、
【手続補正１１】
【補正対象書類名】明細書
【補正対象項目名】０１０１
【補正方法】変更
【補正の内容】
【０１０１】
エタノン １−［９−プロピル−６−（２−エチルベンゾイル）−９Ｈ−カルバゾール−３−イル］−１−［Ｏ−（１−ペンタノン）オキシム］、エタノン １−［９−プロピル−６−（４−エチルベンゾイル）−９Ｈ−カルバゾール−３−イル］−１−［Ｏ−（１−ペンタノン）オキシム］、エタノン １−［９−プロピル−６−（６−エチルベンゾイル）−９Ｈ−カルバゾール−３−イル］−１−［Ｏ−（１−ペンタノン）オキシム］、エタノン １−［９−プロピル−６−（２，４−ジエチルベンゾイル）−９Ｈ−カルバゾール−３−イル］−１−［Ｏ−（１−ペンタノン）オキシム］、エタノン １−［９−プロピル−６−（２，６−ジエチルベンゾイル）−９Ｈ−カルバゾール−３−イル］−１−［Ｏ−（１−ペンタノン）オキシム］、エタノン １−［９−プロピル−６−（２，４，６−トリエチルベンゾイル）−９Ｈ−カルバゾール−３−イル］−１−［Ｏ−（１−ペンタノン）オキシム］、プロパノン １−［９−エチル−６−（２−メチルベンゾイル）−９Ｈ−カルバゾール−３−イル］−１−（Ｏ−アセチルオキシム）、プロパノン １−［９−エチル−６−（４−メチルベンゾイル）−９Ｈ−カルバゾール−３−イル］−１−（Ｏ−アセチルオキシム）、プロパノン １−［９−エチル−６−（６−メチルベンゾイル）−９Ｈ−カルバゾール−３−イル］−１−（Ｏ−アセチルオキシム）、プロパノン １−［９−エチル−６−（２，４−ジメチルベンゾイル）−９Ｈ−カルバゾール−３−イル］−１−（Ｏ−アセチルオキシム）、プロパノン １−［９−エチル−６−（２，６−ジメチルベンゾイル）−９Ｈ−カルバゾール−３−イル］−１−（Ｏ−アセチルオキシム）、プロパノン １−［９−エチル−６−（２，４，６−トリメチルベンゾイル）−９Ｈ−カルバゾール−３−イル］−１−（Ｏ−アセチルオキシム）、
【手続補正１２】
【補正対象書類名】明細書
【補正対象項目名】０１０２
【補正方法】変更
【補正の内容】
【０１０２】
プロパノン １−［９−エチル−６−（２−エチルベンゾイル）−９Ｈ−カルバゾール−３−イル］−１−（Ｏ−アセチルオキシム）、プロパノン １−［９−エチル−６−（４−エチルベンゾイル）−９Ｈ−カルバゾール−３−イル］−１−（Ｏ−アセチルオキシム）、プロパノン １−［９−エチル−６−（６−エチルベンゾイル）−９Ｈ−カルバゾール−３−イル］−１−（Ｏ−アセチルオキシム）、プロパノン １−［９−エチル−６−（２，４−ジエチルベンゾイル）−９Ｈ−カルバゾール−３−イル］−１−（Ｏ−アセチルオキシム）、プロパノン １−［９−エチル−６−（２，６−ジエチルベンゾイル）−９Ｈ−カルバゾール−３−イル］−１−（Ｏ−アセチルオキシム）、プロパノン １−［９−エチル−６−（２，４，６−トリエチルベンゾイル）−９Ｈ−カルバゾール−３−イル］−１−（Ｏ−アセチルオキシム）、プロパノン １−［９−メチル−６−（２−メチルベンゾイル）−９Ｈ−カルバゾール−３−イル］−１−（Ｏ−アセチルオキシム）、プロパノン １−［９−メチル−６−（４−メチルベンゾイル）−９Ｈ−カルバゾール−３−イル］−１−（Ｏ−アセチルオキシム）、プロパノン １−［９−メチル−６−（６−メチルベンゾイル）−９Ｈ−カルバゾール−３−イル］−１−（Ｏ−アセチルオキシム）、プロパノン １−［９−メチル−６−（２，４−ジメチルベンゾイル）−９Ｈ−カルバゾール−３−イル］−１−（Ｏ−アセチルオキシム）、プロパノン １−［９−メチル−６−（２，６−ジメチルベンゾイル）−９Ｈ−カルバゾール−３−イル］−１−（Ｏ−アセチルオキシム）、プロパノン １−［９−メチル−６−（２，４，６−トリメチルベンゾイル）−９Ｈ−カルバゾール−３−イル］−１−（Ｏ−アセチルオキシム）、
【手続補正１３】
【補正対象書類名】明細書
【補正対象項目名】０１０３
【補正方法】変更
【補正の内容】
【０１０３】
プロパノン １−［９−メチル−６−（２−エチルベンゾイル）−９Ｈ−カルバゾール−３−イル］−１−（Ｏ−アセチルオキシム）、プロパノン １−［９−メチル−６−（４−エチルベンゾイル）−９Ｈ−カルバゾール−３−イル］−１−（Ｏ−アセチルオキシム）、プロパノン １−［９−メチル−６−（６−エチルベンゾイル）−９Ｈ−カルバゾール−３−イル］−１−（Ｏ−アセチルオキシム）、プロパノン １−［９−メチル−６−（２，４−ジエチルベンゾイル）−９Ｈ−カルバゾール−３−イル］−１−（Ｏ−アセチルオキシム）、プロパノン １−［９−メチル−６−（２，６−ジエチルベンゾイル）−９Ｈ−カルバゾール−３−イル］−１−（Ｏ−アセチルオキシム）、プロパノン １−［９−メチル−６−（２，４，６−トリエチルベンゾイル）−９Ｈ−カルバゾール−３−イル］−１−（Ｏ−アセチルオキシム）、プロパノン １−［９−プロピル−６−（２−メチルベンゾイル）−９Ｈ−カルバゾール−３−イル］−１−（Ｏ−アセチルオキシム）、プロパノン １−［９−プロピル−６−（４−メチルベンゾイル）−９Ｈ−カルバゾール−３−イル］−１−（Ｏ−アセチルオキシム）、プロパノン １−［９−プロピル−６−（６−メチルベンゾイル）−９Ｈ−カルバゾール−３−イル］−１−（Ｏ−アセチルオキシム）、プロパノン １−［９−プロピル−６−（２，４−ジメチルベンゾイル）−９Ｈ−カルバゾール−３−イル］−１−（Ｏ−アセチルオキシム）、プロパノン １−［９−プロピル−６−（２，６−ジメチルベンゾイル）−９Ｈ−カルバゾール−３−イル］−１−（Ｏ−アセチルオキシム）、プロパノン １−［９−プロピル−６−（２，４，６−トリメチルベンゾイル）−９Ｈ−カルバゾール−３−イル］−１−（Ｏ−アセチルオキシム）、
【手続補正１４】
【補正対象書類名】明細書
【補正対象項目名】０１０４
【補正方法】変更
【補正の内容】
【０１０４】
プロパノン １−［９−プロピル−６−（２−エチルベンゾイル）−９Ｈ−カルバゾール−３−イル］−１−（Ｏ−アセチルオキシム）、プロパノン １−［９−プロピル−６−（４−エチルベンゾイル）−９Ｈ−カルバゾール−３−イル］−１−（Ｏ−アセチルオキシム）、プロパノン １−［９−プロピル−６−（６−エチルベンゾイル）−９Ｈ−カルバゾール−３−イル］−１−（Ｏ−アセチルオキシム）、プロパノン １−［９−プロピル−６−（２，４−ジエチルベンゾイル）−９Ｈ−カルバゾール−３−イル］−１−（Ｏ−アセチルオキシム）、プロパノン １−［９−プロピル−６−２，６−ジエチルベンゾイル）−９Ｈ−カルバゾール−３−イル］−１−（Ｏ−アセチルオキシム）、プロパノン １−［９−プロピル−６−（２，４，６−トリエチルベンゾイル）−９Ｈ−カルバゾール−３−イル］−１−（Ｏ−アセチルオキシム）、プロパノン １−［９−エチル−６−（２−メチルベンゾイル）−９Ｈ−カルバゾール−３−イル］−１−［Ｏ−（１−プロパノン）オキシム］、プロパノン １−［９−エチル−６−（４−メチルベンゾイル）−９Ｈ−カルバゾール−３−イル］−１−［Ｏ−（１−プロパノン）オキシム］、プロパノン １−［９−エチル−６−（６−メチルベンゾイル）−９Ｈ−カルバゾール−３−イル］−１−［Ｏ−（１−プロパノン）オキシム］、プロパノン １−［９−エチル−６−（２，４−ジメチルベンゾイル）−９Ｈ−カルバゾール−３−イル］−１−［Ｏ−（１−プロパノン）オキシム］、プロパノン １−［９−エチル−６−（２，６−ジメチルベンゾイル）−９Ｈ−カルバゾール−３−イル］−１−［Ｏ−（１−プロパノン）オキシム］、プロパノン １−［９−エチル−６−（２，４，６−トリメチルベンゾイル）−９Ｈ−カルバゾール−３−イル］−１−［Ｏ−（１−プロパノン）オキシム］、
【手続補正１５】
【補正対象書類名】明細書
【補正対象項目名】０１０５
【補正方法】変更
【補正の内容】
【０１０５】
プロパノン １−［９−エチル−６−（２−エチルベンゾイル）−９Ｈ−カルバゾール−３−イル］−１−［Ｏ−（１−プロパノン）オキシム］、プロパノン １−［９−エチル−６−（４−エチルベンゾイル）−９Ｈ−カルバゾール−３−イル］−１−［Ｏ−（１−プロパノン）オキシム］、プロパノン １−［９−エチル−６−（６−エチルベンゾイル）−９Ｈ−カルバゾール−３−イル］−１−［Ｏ−（１−プロパノン）オキシム］、プロパノン １−［９−エチル−６−（２，４−ジエチルベンゾイル）−９Ｈ−カルバゾール−３−イル］−１−［Ｏ−（１−プロパノン）オキシム］、プロパノン １−［９−エチル−６−（２，６−ジエチルベンゾイル）−９Ｈ−カルバゾール−３−イル］−１−［Ｏ−（１−プロパノン）オキシム］、プロパノン １−［９−エチル−６−（２，４，６−トリエチルベンゾイル）−９Ｈ−カルバゾール−３−イル］−１−［Ｏ−（１−プロパノン）オキシム］、プロパノン １−［９−メチル−６−（２−メチルベンゾイル）−９Ｈ−カルバゾール−３−イル］−１−［Ｏ−（１−プロパノン）オキシム］、プロパノン １−［９−メチル−６−（４−メチルベンゾイル）−９Ｈ−カルバゾール−３−イル］−１−［Ｏ−（１−プロパノン）オキシム］、プロパノン １−［９−メチル−６−（６−メチルベンゾイル）−９Ｈ−カルバゾール−３−イル］−１−［Ｏ−（１−プロパノン）オキシム］、プロパノン １−［９−メチル−６−（２，４−ジメチルベンゾイル）−９Ｈ−カルバゾール−３−イル］−１−［Ｏ−（１−プロパノン）オキシム］、プロパノン １−［９−メチル−６−（２，６−ジメチルベンゾイル）−９Ｈ−カルバゾール−３−イル］−１−［Ｏ−（１−プロパノン）オキシム］、プロパノン １−［９−メチル−６−（２，４，６−トリメチルベンゾイル）−９Ｈ−カルバゾール−３−イル］−１−［Ｏ−（１−プロパノン）オキシム］、
【手続補正１６】
【補正対象書類名】明細書
【補正対象項目名】０１０６
【補正方法】変更
【補正の内容】
【０１０６】
プロパノン １−［９−メチル−６−（２−エチルベンゾイル）−９Ｈ−カルバゾール−３−イル］−１−［Ｏ−（１−プロパノン）オキシム］、プロパノン １−［９−メチル−６−（４−エチルベンゾイル）−９Ｈ−カルバゾール−３−イル］−１−［Ｏ−（１−プロパノン）オキシム］、プロパノン １−［９−メチル−６−（６−エチルベンゾイル）−９Ｈ−カルバゾール−３−イル］−１−［Ｏ−（１−プロパノン）オキシム］、プロパノン １−［９−メチル−６−（２，４−ジエチルベンゾイル）−９Ｈ−カルバゾール−３−イル］−１−［Ｏ−（１−プロパノン）オキシム］、プロパノン １−［９−メチル−６−（２，６−ジエチルベンゾイル）−９Ｈ−カルバゾール−３−イル］−１−［Ｏ−（１−プロパノン）オキシム］、プロパノン １−［９−メチル−６−（２，４，６−トリエチルベンゾイル）−９Ｈ−カルバゾール−３−イル］−１−［Ｏ−（１−プロパノン）オキシム］、プロパノン １−［９−プロピル−６−（２−メチルベンゾイル）−９Ｈ−カルバゾール−３−イル］−１−［Ｏ−（１−プロパノン）オキシム］、プロパノン １−［９−プロピル−６−（４−メチルベンゾイル）−９Ｈ−カルバゾール−３−イル］−１−［Ｏ−（１−プロパノン）オキシム］、プロパノン １−［９−プロピル−６−（６−メチルベンゾイル）−９Ｈ−カルバゾール−３−イル］−１−［Ｏ−（１−プロパノン）オキシム］、プロパノン １−［９−プロピル−６−（２，４−ジメチルベンゾイル）−９Ｈ−カルバゾール−３−イル］−１−［Ｏ−（１−プロパノン）オキシム］、プロパノン １−［９−プロピル−６−（２，６−ジメチルベンゾイル）−９Ｈ−カルバゾール−３−イル］−１−［Ｏ−（１−プロパノン）オキシム］、プロパノン １−［９−プロピル−６−（２，４，６−トリメチルベンゾイル）−９Ｈ−カルバゾール−３−イル］−１−［Ｏ−（１−プロパノン）オキシム］、
【手続補正１７】
【補正対象書類名】明細書
【補正対象項目名】０１０７
【補正方法】変更
【補正の内容】
【０１０７】
プロパノン １−［９−プロピル−６−（２−エチルベンゾイル）−９Ｈ−カルバゾール−３−イル］−１−［Ｏ−（１−プロパノン）オキシム］、プロパノン １−［９−プロピル−６−（４−エチルベンゾイル）−９Ｈ−カルバゾール−３−イル］−１−［Ｏ−（１−プロパノン）オキシム］、プロパノン １−［９−プロピル−６−（６−エチルベンゾイル）−９Ｈ−カルバゾール−３−イル］−１−［Ｏ−（１−プロパノン）オキシム］、プロパノン １−［９−プロピル−６−（２，４−ジエチルベンゾイル）−９Ｈ−カルバゾール−３−イル］− １−［Ｏ−（１−プロパノン）オキシム］、プロパノン １−［９−プロピル−６−（２，６−ジエチルベンゾイル）−９Ｈ−カルバゾール−３−イル］−１−［Ｏ−（１−プロパノン）オキシム］、プロパノン １−［９−プロピル−６−（２，４，６−トリエチルベンゾイル）−９Ｈ−カルバゾール−３−イル］−１−［Ｏ−（１−プロパノン）オキシム］、プロパノン １−［９−エチル−６−（２−メチルベンゾイル）−９Ｈ−カルバゾール−３−イル］−１−［Ｏ−（１−ブタノン）オキシム］、プロパノン １−［９−エチル−６−（４−メチルベンゾイル）−９Ｈ−カルバゾール−３−イル］−１−［Ｏ−（１−ブタノン）オキシム］、プロパノン １−［９−エチル−６−（６−メチルベンゾイル）−９Ｈ−カルバゾール−３−イル］−１−［Ｏ−（１−ブタノン）オキシム］、プロパノン １−［９−エチル−６−（２，４−ジメチルベンゾイル）−９Ｈ−カルバゾール−３−イル］−１−［Ｏ−（１−ブタノン）オキシム］、プロパノン １−［９−エチル−６−（２，６−ジメチルベンゾイル）−９Ｈ−カルバゾール−３−イル］−１−［Ｏ−（１−ブタノン）オキシム］、プロパノン １−［９−エチル−６−（２，４，６−トリメチルベンゾイル）−９Ｈ−カルバゾール−３−イル］−１−［Ｏ−（１−ブタノン）オキシム］、
【手続補正１８】
【補正対象書類名】明細書
【補正対象項目名】０１０８
【補正方法】変更
【補正の内容】
【０１０８】
プロパノン １−［９−エチル−６−（２−エチルベンゾイル）−９Ｈ−カルバゾール−３−イル］− １−［Ｏ−（１−ブタノン）オキシム］、プロパノン １−［９−エチル−６−（４−エチルベンゾイル）−９Ｈ−カルバゾール−３−イル］−１−［Ｏ−（１−ブタノン）オキシム］、プロパノン １−［９−エチル−６−（６−エチルベンゾイル）−９Ｈ−カルバゾール−３−イル］−１−［Ｏ−（１−ブタノン）オキシム］、プロパノン １−［９−エチル−６−（２，４−ジエチルベンゾイル）−９Ｈ−カルバゾール−３−イル］−１−［Ｏ−（１−ブタノン）オキシム］、プロパノン １−［９−エチル−６−（２，６−ジエチルベンゾイル）−９Ｈ−カルバゾール−３−イル］−１−［Ｏ−（１−ブタノン）オキシム］、プロパノン １−［９−エチル−６−（２，４，６−トリエチルベンゾイル）−９Ｈ−カルバゾール−３−イル］−１−［Ｏ−（１−ブタノン）オキシム］、プロパノン １−［９−メチル−６−（２−メチルベンゾイル）−９Ｈ−カルバゾール−３−イル］−１−［Ｏ−（１−ブタノン）オキシム］、プロパノン １−［９−メチル−６−（４−メチルベンゾイル）−９Ｈ−カルバゾール−３−イル］−１−［Ｏ−（１−ブタノン）オキシム］、プロパノン １−［９−メチル−６−（６−メチルベンゾイル）−９Ｈ−カルバゾール−３−イル］−１−［Ｏ−（１−ブタノン）オキシム］、プロパノン １−［９−メチル−６−（２，４−ジメチルベンゾイル）−９Ｈ−カルバゾール−３−イル］−１−［Ｏ−（１−ブタノン）オキシム］、プロパノン １−［９−メチル−６−（２，６−ジメチルベンゾイル）−９Ｈ−カルバゾール−３−イル］−１−［Ｏ−（１−ブタノン）オキシム］、プロパノン １−［９−メチル−６−（２，４，６−トリメチルベンゾイル）−９Ｈ−カルバゾール−３−イル］−１−［Ｏ−（１−ブタノン）オキシム］、プロパノン １−［９−メチル−６−（２−エチルベンゾイル）−９Ｈ−カルバゾール−３−イル］−１−［Ｏ−（１−ブタノン）オキシム］、プロパノン １−［９−メチル−６−（４−エチルベンゾイル）−９Ｈ−カルバゾール−３−イル］−１−［Ｏ−（１−ブタノン）オキシム］、プロパノン １−［９−メチル−６−（６−エチルベンゾイル）−９Ｈ−カルバゾール−３−イル］−１−［Ｏ−（１−ブタノン）オキシム］、プロパノン １−［９−メチル−６−（２，４−ジエチルベンゾイル）−９Ｈ−カルバゾール−３−イル］−１−［Ｏ−（１−ブタノン）オキシム］、プロパノン １−［９−メチル−６−（２，６−ジエチルベンゾイル）−９Ｈ−カルバゾール−３−イル］−１−［Ｏ−（１−ブタノン）オキシム］、プロパノン １−［９−メチル−６−（２，４，６−トリエチルベンゾイル）−９Ｈ−カルバゾール−３−イル］−１−［Ｏ−（１−ブタノン）オキシム］、
【手続補正１９】
【補正対象書類名】明細書
【補正対象項目名】０１０９
【補正方法】変更
【補正の内容】
【０１０９】
プロパノン １−［９−プロピル−６−（２−メチルベンゾイル）−９Ｈ−カルバゾール−３−イル］−１−［Ｏ−（１−ブタノン）オキシム］、プロパノン １−［９−プロピル−６−（４−メチルベンゾイル）−９Ｈ−カルバゾール−３−イル］−１−［Ｏ−（１−ブタノン）オキシム］、プロパノン １−［９−プロピル−６−（６−メチルベンゾイル）−９Ｈ−カルバゾール−３−イル］−１−［Ｏ−（１−ブタノン）オキシム］、プロパノン １−［９−プロピル−６−（２，４−ジメチルベンゾイル）−９Ｈ−カルバゾール−３−イル］−１−［Ｏ−（１−ブタノン）オキシム］、プロパノン １−［９−プロピル−６−（２，６−ジメチルベンゾイル）−９Ｈ−カルバゾール−３−イル］−１−［Ｏ−（１−ブタノン）オキシム］、プロパノン １−［９−プロピル−６−（２，４，６−トリメチルベンゾイル）−９Ｈ−カルバゾール−３−イル］−１−［Ｏ−（１−ブタノン）オキシム］、プロパノン １−［９−プロピル−６−（２−エチルベンゾイル）−９Ｈ−カルバゾール−３−イル］−１−［Ｏ−（１−ブタノン）オキシム］、プロパノン １−［９−プロピル−６−（４−エチルベンゾイル）−９Ｈ−カルバゾール−３−イル］−１−［Ｏ−（１−ブタノン）オキシム］、プロパノン １−［９−プロピル−６−（６−エチルベンゾイル）−９Ｈ−カルバゾール−３−イル］−１−［Ｏ−（１−ブタノン）オキシム］、プロパノン １−［９−プロピル−６−（２，４−ジエチルベンゾイル）−９Ｈ−カルバゾール−３−イル］−１−［Ｏ−（１−ブタノン）オキシム］、プロパノン １−［９−プロピル−６−（２，６−ジエチルベンゾイル）−９Ｈ−カルバゾール−３−イル］−１−［Ｏ−（１−ブタノン）オキシム］、プロパノン １−［９−プロピル−６−（２，４，６−トリエチルベンゾイル）−９Ｈ−カルバゾール−３−イル］−１−［Ｏ−（１−ブタノン）オキシム］、
【手続補正２０】
【補正対象書類名】明細書
【補正対象項目名】０１１０
【補正方法】変更
【補正の内容】
【０１１０】
プロパノン １−［９−エチル−６−（２−メチルベンゾイル）−９Ｈ−カルバゾール−３−イル］−１−［Ｏ−（１−ペンタノン）オキシム］、プロパノン １−［９−エチル−６−（４−メチルベンゾイル）−９Ｈ−カルバゾール−３−イル］−１−［Ｏ−（１−ペンタノン）オキシム］、プロパノン １−［９−エチル−６−（６−メチルベンゾイル）−９Ｈ−カルバゾール−３−イル］−１−［Ｏ−（１−ペンタノン）オキシム］、プロパノン １−［９−エチル−６−（２，４−ジメチルベンゾイル）−９Ｈ−カルバゾール−３−イル］−１−［Ｏ−（１−ペンタノン）オキシム］、プロパノン １−［９−エチル−６−（２，６−ジメチルベンゾイル）−９Ｈ−カルバゾール−３−イル］−１−［Ｏ−（１−ペンタノン）オキシム］、プロパノン １−［９−エチル−６−（２，４，６−トリメチルベンゾイル）−９Ｈ−カルバゾール−３−イル］−１−［Ｏ−（１−ペンタノン）オキシム］、プロパノン １−［９−エチル−６−（２−エチルベンゾイル）−９Ｈ−カルバゾール−３−イル］−１−［Ｏ−（１−ペンタノン）オキシム］、プロパノン １−［９−エチル−６−（４−エチルベンゾイル）−９Ｈ−カルバゾール−３−イル］−１−［Ｏ−（１−ペンタノン）オキシム］、プロパノン １−［９−エチル−６−（６−エチルベンゾイル）−９Ｈ−カルバゾール−３−イル］−１−［Ｏ−（１−ペンタノン）オキシム］、プロパノン １−［９−エチル−６−（２，４−ジエチルベンゾイル）−９Ｈ−カルバゾール−３−イル］−１−［Ｏ−（１−ペンタノン）オキシム］、プロパノン １−［９−エチル−６−（２，６−ジエチルベンゾイル）−９Ｈ−カルバゾール−３−イル］−１−［Ｏ−（１−ペンタノン）オキシム］、プロパノン １−［９−エチル−６−（２，４，６−トリエチルベンゾイル）−９Ｈ−カルバゾール−３−イル］−１−［Ｏ−（１−ペンタノン）オキシム］、
【手続補正２１】
【補正対象書類名】明細書
【補正対象項目名】０１１１
【補正方法】変更
【補正の内容】
【０１１１】
プロパノン １−［９−メチル−６−（２−メチルベンゾイル）−９Ｈ−カルバゾール−３−イル］−１−［Ｏ−（１−ペンタノン）オキシム］、プロパノン １−［９−メチル−６−（４−メチルベンゾイル）−９Ｈ−カルバゾール−３−イル］−１−［Ｏ−（１−ペンタノン）オキシム］、プロパノン １−［９−メチル−６−（６−メチルベンゾイル）−９Ｈ−カルバゾール−３−イル］−１−［Ｏ−（１−ペンタノン）オキシム］、プロパノン １−［９−メチル−６−（２，４−ジメチルベンゾイル）−９Ｈ−カルバゾール−３−イル］−１−［Ｏ−（１−ペンタノン）オキシム］、プロパノン １−［９−メチル−６−（２，６−ジメチルベンゾイル）−９Ｈ−カルバゾール−３−イル］−１−［Ｏ−（１−ペンタノン）オキシム］、プロパノン １−［９−メチル−６−（２，４，６−トリメチルベンゾイル）−９Ｈ−カルバゾール−３−イル］−１−［Ｏ−（１−ペンタノン）オキシム］、プロパノン １−［９−メチル−６−（２−エチルベンゾイル）−９Ｈ−カルバゾール−３−イル］−１−［Ｏ−（１−ペンタノン）オキシム］、プロパノン １−［９−メチル−６−（４−エチルベンゾイル）−９Ｈ−カルバゾール−３−イル］−１−［Ｏ−（１−ペンタノン）オキシム］、プロパノン １−［９−メチル−６−（６−エチルベンゾイル）−９Ｈ−カルバゾール−３−イル］−１−［Ｏ−（１−ペンタノン）オキシム］、プロパノン １−［９−メチル−６−（２，４−ジエチルベンゾイル）−９Ｈ−カルバゾール−３−イル］−１−［Ｏ−（１−ペンタノン）オキシム］、プロパノン １−［９−メチル−６−（２，６−ジエチルベンゾイル）−９Ｈ−カルバゾール−３−イル］−１−［Ｏ−（１−ペンタノン）オキシム］、プロパノン １−［９−メチル−６−（２，４，６−トリエチルベンゾイル）−９Ｈ−カルバゾール−３−イル］−１−［Ｏ−（１−ペンタノン）オキシム］、
【手続補正２２】
【補正対象書類名】明細書
【補正対象項目名】０１１２
【補正方法】変更
【補正の内容】
【０１１２】
プロパノン １−［９−プロピル−６−（２−メチルベンゾイル）−９Ｈ−カルバゾール−３−イル］−１−［Ｏ−（１−ペンタノン）オキシム］、プロパノン １−［９−プロピル−６−（４−メチルベンゾイル）−９Ｈ−カルバゾール−３−イル］−１−［Ｏ−（１−ペンタノン）オキシム］、プロパノン １−［９−プロピル−６−（６−メチルベンゾイル）−９Ｈ−カルバゾール−３−イル］−１−［Ｏ−（１−ペンタノン）オキシム］、プロパノン １−［９−プロピル−６−（２，４−ジメチルベンゾイル）−９Ｈ−カルバゾール−３−イル］−１−［Ｏ−（１−ペンタノン）オキシム］、プロパノン １−［９−プロピル−６−（２，６−ジメチルベンゾイル）−９Ｈ−カルバゾール−３−イル］−１−［Ｏ−（１−ペンタノン）オキシム］、プロパノン １−［９−プロピル−６−（２，４，６−トリメチルベンゾイル）−９Ｈ−カルバゾール−３−イル］−１−［Ｏ−（１−ペンタノン）オキシム］、プロパノン １−［９−プロピル−６−（２−エチルベンゾイル）−９Ｈ−カルバゾール−３−イル］−１−［Ｏ−（１−ペンタノン）オキシム］、プロパノン １−［９−プロピル−６−（４−エチルベンゾイル）−９Ｈ−カルバゾール−３−イル］−１−［Ｏ−（１−ペンタノン）オキシム］、プロパノン １−［９−プロピル−６−（６−エチルベンゾイル）−９Ｈ−カルバゾール−３−イル］−１−［Ｏ−（１−ペンタノン）オキシム］、プロパノン １−［９−プロピル−６−（２，４−ジエチルベンゾイル）−９Ｈ−カルバゾール−３−イル］−１−［Ｏ−（１−ペンタノン）オキシム］、プロパノン １−［９−プロピル−６−（２，６−ジエチルベンゾイル）−９Ｈ−カルバゾール−３−イル］−１−［Ｏ−（１−ペンタノン）オキシム］、プロパノン １−［９−プロピル−６−（２，４，６−トリエチルベンゾイル）−９Ｈ−カルバゾール−３−イル］−１−［Ｏ−（１−ペンタノン）オキシム］